(57)【要約】【課題】自然界に多く存在する砂を用いてガイドレールの取り付け高さを調整するエレベータ緩衝器台装置を提供する。【解決手段】容器２９は、かご側緩衝器台１６におけるガイドレール１５の下端部に位置して設けられ、かご側緩衝器台１６と一体的に構成されている。そして、その内側形状に合致する外側形状の蓋部材３０を有している。蓋部材３０が容器２９の開口部内周に沿って容器２９の内部に進入し、開口部を塞ぐように構成されている。容器２９には、あらかじめガイドレール１５の上端部の高さを測定することにより、必要量の砂３４が収納されており、この砂３４を容器２９の内部で固め、ガイドレールの取り付け高さを調整する。【選択図】図４
2010070290.tif 000002
【特許請求の範囲】
【請求項１】
エレベータの緩衝器を固定載置する緩衝器台に設けられ、かごのガイドを司るガイドレールの取り付け高さを調整する手段を備えたエレベータ緩衝器台装置であって、
上記ガイドレールの取り付け高さを調整する手段は、内部に所定量の砂を収納する容器と、上記砂を圧縮して固める蓋部材と、を含む構成であることを特徴とするエレベータ緩衝器台装置。
【請求項２】
上記砂に凝固剤を混入して固めたことを特徴とする請求項１に記載のエレベータ緩衝器台装置。
【請求項３】
上記容器と上記蓋部材にそれぞれ穴付きフランジを設け、上記それぞれの穴付きフランジに締付けボルトを挿通し、上記容器と上記蓋部材を締め付けることを特徴とする請求項１または請求項２に記載のエレベータ緩衝器台装置。
【請求項４】
上記ガイドレールは、上記緩衝器台に取り付けられたレール取り付け板に、上記ガイドレールを挟持するレールクリップとこのレールクリップを締め付ける締め付けボルトにより取り付けられることを特徴とする請求項１から請求項３の何れか一項に記載のエレベータ緩衝器台装置。
【請求項５】
上記緩衝器台は、アンカーボルトにより基台に取り付けられることを特徴とする請求項１項から請求項４項の何れか一項に記載のエレベータ緩衝器台装置。
【発明の詳細な説明】
【技術分野】
【０００１】
この発明は、かごのガイドを司るガイドレールの取り付け高さを調整する手段を備えたエレベータ緩衝器台装置に関するものである。
【背景技術】
【０００２】
機械室が昇降路の頂部に設けられた従来のエレベータにおいては、かごのガイドを司るガイドレールを、かご緩衡器を固定載置したかご側緩衝器台の両端部に止め金具を用いて固定している（例えば、特許文献１、特許文献２参照）。
【０００３】
【特許文献１】実開昭６１−１８５７６７号公報（第３図）
【特許文献２】実開昭６２−１４７６７２号公報（第２図）
【０００４】
近時、機械室レスエレベータが開発されており、この機械室レスエレベータにおいては、機械室を必要とせず、しかも昇降路ピット寸法や昇降路頂部と天井との隙間が小さくて良い特徴があることから普及している。
【０００５】
この機械室レスエレベータにおいては、巻上機や返し車、また綱止め梁などを昇降路内の最上端に配置するため、かごのガイドを司るガイドレール（以下、単にガイドレールという。）の上端に梁を渡すことにより、上記最上端に配置する装置を支持させている。このためガイドレールの上端高さを揃える必要があり、従来の機械室レスエレベータにおいては、図７に示すようにしてガイドレールの上端高さを揃えていた。
【０００６】
図７において、かご側緩衝器台７０のほぼ中央部には、かご緩衝器７１が固定載置されており、かご側緩衝器台７０の両端部（図７では一方のみ図示）に、レール取り付け板７２が取り付けられている。かご（図示せず）のガイドを司どるガイドレール７３は、かご側緩衝器台７０の端部上方に位置し、ガイドレール７３を挟持するレールクリップ７４を締め付けボルト７５で締め付けることにより、レール取り付け板７２に固定されている。ガイドレール７３を前述の理由により上端高さを揃えるため、かご側緩衝器台７０の上面とガイドレール７３との間に隙間が生じるが、この隙間を複数枚の厚鋼板スペーサ７６、あるいは薄板スペーサ７７を介在させて塞いでいる。即ち、上端高さが揃えられたガイドレール７３の取り付け高さは、複数枚の厚鋼板スペーサ７６、あるいは薄板スペーサ７７により調整される構成となっている。
【０００７】
なお、かご側緩衝器台７０は、アンカーボルト７８により基台（図示せず）に固定されている。また、ガイドレール７３の下端部と薄板スペーサ７７との間には、ガイドレール７３に沿って落下する油を受ける油受けガイド７９が設けられており、油受けガイド７９からの油を受ける油受け容器８０が設置されている。
【発明の開示】
【発明が解決しようとする課題】
【０００８】
上記のように、従来の機械室レスエレベータの緩衝器台装置においては、かご緩衝器７１を固定載置するかご側緩衝器台７０の上方に位置するガイドレール７３の下瑞部に複数枚の厚鋼板スペーサ７６と薄板スペーサ７７を重ねてガイドレール７３の取り付け高さを調整していた。このため、厚鋼板スペーサ７６と薄板スペーサ７７をそれぞれ複数枚用意し、これらを重ね合わせてガイドレール７３の取り付け高さを調整する作業が煩わしく、また、厚鋼板スペーサ７６および薄板スペーサ７７をエレベータの設置場所に輸送するための輸送費が掛かり、費用的にも高価となる課題があった。
【０００９】
この発明は、上記の課題を解消するためになされたもので、自然界に多く存在する砂を用いてガイドレールの取り付け高さを調整するエレベータ緩衝器台装置を提供するものである。
【課題を解決するための手段】
【００１０】
この発明に係るエレベータ緩衝器台装置は、エレベータの緩衝器を固定載置する緩衝器台に設けられ、かごのガイドを司るガイドレールの取り付け高さを調整する手段を備えたエレベータ緩衝器台装置であって、上記ガイドレールの取り付け高さを調整する手段は、内部に所定量の砂を収納する容器と、上記砂を圧縮して固める蓋部材とを含む構成としたものである。
【発明の効果】
【００１１】
この発明に係るエレベータ緩衝器台装置は、砂によりガイドレールの取り付け高さを調整するので、従来装置のように厚鋼板スペーサや薄板スペーサを複数枚用意する必要がなくなり、ガイドレールの取り付け高さの調整作業が容易となる。また、自然界に多く存在する砂をガイドレールの取り付け高さの調整部材として用いるため、エレベータの設置場所付近で用意しやすく、輸送費を削減できる効果がある。
【発明を実施するための最良の形態】
【００１２】
以下、添付の図面を参照して、この発明に係るエレベータ緩衝器台装置について好適な実施の形態を説明する。なお、この実施の形態によりこの発明が限定されるものではない。
【００１３】
実施の形態１．
図１は実施の形態１に係るエレベータ緩衝器台装置を設けた機械室レスエレベータの部分斜視図であり、図２はかご側緩衝器台を説明する部分正面図である。また、図３はガイドレールの下端部を説明する部分断面詳細図であり、図４は図３の一部を省略した分解斜視図である。
【００１４】
図１において、建築物（図示せず）に設けられた昇降路１０をかご１１が昇降する。かご１１は、かご枠１２に保持されている。かご枠１２に取り付けられたかご吊り車１３に巻き上げロープ１４を巻回し、この巻き上げロープ１４を巻上機（図示せず）で巻き取ることによりかご１１が昇降路１０を昇降する。かご枠１２が、昇降路１０の両側側壁に沿ってかご１１の昇降方向に設けられたガイドレール１５にガイドされることにより、かご１１は規定の昇降位置を昇降する。また、かご１１の下方にはかご側緩衝器台１６が基台１７に固定して設けられ、かご側緩衝器台１６のほぼ中央部にかご緩衝器１８が固定載置されている。なお、これらにより構成されるエレベータ緩衝器台装置については後述する。
【００１５】
昇降路１０におけるかご１１の背面側には、釣合錘１９が巻き上げロープ１４に吊下されている。釣合錘１９は昇降路１０の背面壁に設けられた釣合錘レール２０に沿って昇降し、かご１１の昇降とバランスするよう機能する。釣合錘１９の下方には、釣合錘緩衝器２１が基台１７との間に厚鋼板スペーサ２２が介在されている。
【００１６】
図２に示すように、基台１７にアンカーボルト２３で固定されたかご側緩衝器台１６のほぼ中央部には、かご緩衝器１８が固定載置されており、かご側緩衝器台１６のガイドレール１５の支持部、即ち、ガイドレール１５の両端部（図２では一方のみ図示）には、レール取り付け板２４が取り付けられている。かご枠１２（図２では省略）をガイドするガイドレール１５は、かご側緩衝器台１６の端部上方に位置し、ガイドレール１５を挟持するレールクリップ２５を締め付けボルト２６で締め付けることにより、レール取り付け板２４に固定されている。ガイドレール１５の下端部にはガイドレール１５に沿って落下する油を受ける油受けガイド２７が設けられており、油受けガイド２７からの油を受ける油受け容器２８がかご側緩衝器台１６に設置されている。
【００１７】
前述した理由により、ガイドレール１５の上端高さが揃えられ、ガイドレール１５とかご側緩衝器台１６の上面との間に隙間が生じるが、この隙間にガイドレールの取り付け高さを調整する手段が設けられる。次に、この手段について図３および図４を用いて説明する。
【００１８】
図３および図４において、容器２９は、かご側緩衝器台１６におけるガイドレール１５の下端部に位置して設けられ、かご側緩衝器台１６と一体的に構成されている。そして、その内側形状に合致する外側形状の蓋部材３０を有している。容器２９の正面側および背面側には、それぞれねじ穴付きフランジ３１が形成されており、蓋部材３０の正面側および背面側にも、それぞれねじ穴付きフランジ３２が形成されている。容器２９に形成されるねじ穴付きフランジ３１と、蓋部材３０に形成されるねじ穴付きフランジ３２は、それぞれが対向する位置に形成されている。そして、穴付きフランジ３１および３２に締付けボルト３３を挿通し、締め付けることにより、蓋部材３０が容器２９の開口部内周に沿って容器２９の内部に進入し、開口部を塞ぐように構成されている。
【００１９】
容器２９には、あらかじめガイドレール１５の上端部の高さを測定することにより、必要量の砂３４が収納されている。そして、穴付きフランジ３１および３２を締付けボルト３３で締め付けることにより、砂３４が充分硬く圧縮されて固められ、ガイドレール１５とかご側緩衝器台１６の上面との間に形成される隙間を補うスペーサとしての機能を発揮する。なお、圧縮して固められた砂３４の経年変化により、ガイドレール１５が下がるのを防ぐため、蓋部材３０に穴３０ｈを形成して、この穴３０ｈを塞ぐプラグ３５を設けるとともに、プラグ３５を外し、図５に示すように、凝固剤３６を混入し、砂３４を固めると好適である。凝固剤３６としては、セメントの液体が用いられるが、他の液状接着剤を用いてもよい。
【００２０】
また、容器２９の蓋部材３０上のガイドレール１５を載せる位置の高さを微調整するため、蓋部材３０の上面にスペーサ３７を入れる。そして、ガイドレール１５の下端に油受ガイド２６を入れ、レールクリップ２５を締め付けボルト２６で締め付けることにより、ガイドレール１５をレール取り付け板２４に固定して据付が完了となる。
【００２１】
実施の形態１に係るエレベータ緩衝器台装置は上記のように構成されており、ガイドレール１５の取り付け高さを調整する手段として、容器２９とこの容器２９内に収納される砂３４を調整部材として用いており、ガイドレール１５の取り付け高さの調整作業が容易となる。また、自然界に多く存在する砂３４を調整部材として用いているため、エレベータの設置場所付近で用意しやすく、輸送費を削減できる効果がある。
【００２２】
更には、ガイドレール１５の取り付け高さを調整するのに、砂３４を調整部材として用いることにより、リサイクル部材として無駄なく活用でき、安価にエレベータの緩衝器台装置を提供することができ、また持ち運びも簡単となる。なお、砂３４を凝固剤３６で固めた場合には、固めた砂３４を砂利状にし、セメントの骨材として利用でき、更に細かく砂状にすれば、砂としてリサイクルできる。
【００２３】
実施の形態２．
次に、実施の形態２に係るエレベータ緩衝器台装置について説明する。図６は実施の形態２に係るエレベータ緩衝器台装置を説明する部分分解斜視図である。
実施の形態２に係るエレベータ緩衝器台装置は、図６に示すように、ガイドレール（図示せず）の断面形状に合わせた形状を有する容器６０を設けたものである。容器６０は、かご側緩衝器台１６におけるガイドレール（図示せず）の下端部に位置し、かご側緩衝器台１６と一体的に構成されている。この容器６０はＴ字状の断面形状に構成され、その内側形状に合致する外側形状を有するとともに、穴６１ｈを備えた蓋部材６１が設けられている。容器６０の正面側および背面側には、それぞれねじ穴付きフランジ６２が形成されており、蓋部材６１の正面側および背面側にも、それぞれねじ穴付きフランジ６３が形成されている。
【００２４】
容器６０に形成されるねじ穴付きフランジ６２と、蓋部材６１に形成されるねじ穴付きフランジ６３は、それぞれが対向する位置に形成されている。そして、穴付きフランジ６２および６３に締付けボルト３３を挿通し、締め付けることにより、蓋部材６１が容器６０の開口部内周に沿って容器６０の内部に進入し、開口部を塞ぐように構成されている。
【００２５】
また、容器６０の蓋部材６１上のガイドレールを載せる位置の高さを微調整するため、蓋部材６１の上面にスペーサ６４を入れる。そして、ガイドレールの下端部に油受けガイド６５を設け、ガイドレールをレール取り付け板２４に固定する。ここで、スペーサ６４および油受けガイド６５は、共に蓋部材６１の外径と同形状に構成されている。なお、その他の構成については実施の形態１と同様であり、同一符号を付すことにより説明を省略する。
【００２６】
実施の形態２に係るエレベータ緩衝器台装置は上記のように構成されており、実施の形態１と同様の効果を奏するとともに、容器６０、蓋部材６１、スペーサ６４、および油受けガイド６５をともにガイドレールの断面形状に合わせた形状としている。このため、かご緩衝器にかごが衝突した場合、かごの下端部に設けられるかご吊り車や、かごをガイドするガイドシュー装置あるいはガイドローラ装置が、容器６０、蓋部材６１、スペーサ６４、および油受けガイド６５と極力当たらないように逃がすことができ、かごの下部スペースを小さく納めることができる効果がある。
【００２７】
上記各実施の形態においては、砂を収納する容器をかご側緩衝器台と一体的に構成したエレベータ緩衝器台装置について説明したが、砂を収納する容器をレール取り付け板と一体的にしてエレベータ緩衝器台装置を構成してもよい。
【００２８】
また、上記各実施の形態においては、この発明に係るエレベータ緩衝器台装置をかご側緩衝器台に適用した場合について説明したが、釣合錘側の緩衝器台に適用することも可能である。
【００２９】
さらに、上記各実施の形態においては、機械室レスエレベータに適用した場合について説明したが、機械室レスエレベータ以外のエレベータにおいても、ガイドレールの上端高さを揃える必要がある場合に同等の効果を発揮する。
【産業上の利用可能性】
【００３０】
この発明に係るエレベータ緩衝器台装置は、かごのガイドを司るガイドレールの取り付け高さを調整するエレベータの緩衝器台装置として利用できる。
【図面の簡単な説明】
【００３１】
【図１】この発明の実施の形態１に係るエレベータ緩衝器台装置を設けた機械室レスエレベータの部分斜視図である。
【図２】かご側緩衝器台を説明する部分正面図である。
【図３】ガイドレールの下側を説明する部分断面詳細図である。
【図４】図３の一部を省略した分解斜視図である。
【図５】砂凝固剤により砂を固める状況を説明する図である。
【図６】この発明の実施の形態２に係るエレベータ緩衝器台装置を説明する部分分解斜視図である。
【図７】従来の機械室レスエレベータの緩衝器台装置を説明する正面図である。
【符号の説明】
【００３２】
１０  昇降路                            １１  かご
１２  かご枠                            １３  かご吊り車
１４  巻き上げロープ                    １５  ガイドレール
１６  かご側緩衝器台                    １７  基台
１８  かご緩衝器                        １９  釣合錘
２０  釣合錘レール                      ２１  釣合錘緩衝器
２２  厚鋼板スペーサ                    ２３  アンカーボルト
２４  レール取り付け板                  ２５  レールクリップ
２６  締め付けボルト                    ２７、６５  油受けガイド
２８  油受け容器                        ２９、６０  容器
３０、６１  蓋部材                      ３０ｈ、６１ｈ  穴
３１、３２、６２、６３  ねじ穴付きフランジ
３３  締付けボルト                      ３４  砂
３５  プラグ                            ３６  凝固剤
６４  スペーサ
【図１】
2010070290.tif 000003
【図２】
2010070290.tif 000004
【図３】
2010070290.tif 000005
【図４】
2010070290.tif 000006
【図５】
2010070290.tif 000007
【図６】
2010070290.tif 000008
【図７】
2010070290.tif 000009